(57)【要約】【課題】少ない認証時間でも混信の抑制を可能にしたキー認証システムを提供すること。【解決手段】集合住宅のエントランスに設けられたコントローラは、認証の対象となる電子キーに呼び掛け信号を送信する送信部と、呼び掛け信号に対する電子キーからの応答信号を受信する受信部と、応答信号を解析して電子キーの認証を行う認証部とを有する。また、コントローラは、集合住宅に適合する数多くの電子キーをグループ分けし、グループ単位で、同じグループに属する全ての電子キーを認証の対象として、送信部から呼び掛け信号を送信する通信制御部を有する。通信制御部は、各部屋の認証機に対する登録順が同じ電子キーによって１つのグループを形成しつつ、全部で８つにグループ分けする。【選択図】図２
2019167696.tif 000002
【特許請求の範囲】
【請求項１】
電子キーの認証を行うキー認証システムにおいて、
認証の対象となる電子キーに呼び掛け信号を送信する送信手段と、前記呼び掛け信号に対する電子キーからの応答信号を受信する受信手段と、前記応答信号を解析して電子キーの認証を行う認証手段とを有するコントローラを備え、
前記コントローラは、複数の電子キーをグループ分けし、グループ単位で、同じグループに属する全ての電子キーを認証の対象として、前記送信手段から呼び掛け信号を送信する制御手段を有する
ことを特徴とするキー認証システム。
【請求項２】
認証の成立を条件に動作する機器が複数設けられ、それぞれの機器には、単数又は複数の電子キーが登録されているとともに、それぞれの電子キーには、該当する機器に対する登録順が付与され、
前記制御手段は、登録順が同じ電子キーによって１つのグループを形成する
請求項１に記載のキー認証システム。
【請求項３】
前記機器が多層建築物の各階に設けられ、
前記制御手段は、登録順が同じ電子キーを、該当する機器の階数毎に細分化し、その細分化した単位で、その単位による同じグループに属する全ての電子キーを認証の対象として、前記送信手段から呼び掛け信号を送信する
請求項２に記載のキー認証システム。
【発明の詳細な説明】
【技術分野】
【０００１】
本発明は、電子キーの認証を行うキー認証システムに関する。
【背景技術】
【０００２】
特許文献１には、ユーザが所持する電子キーと建物のドア等に設けられたコントローラとの間で双方向通信を行い、電子キーの認証が成立したことを条件に、ドアの施解錠を許可又は実行するドア錠制御システムが開示されている。
【０００３】
ドア側のコントローラは、電子キーの接近を監視するために、定期的に或いはドアに設けられたスイッチの操作を契機に呼び掛け信号（一例は低周波のＬＦ電波）を発信してドアの周辺に通信エリアを形成する。電子キーを所持したユーザが通信エリア内に進入すると、電子キーは、呼び掛け信号を受けて電子キーの固有のＩＤを含む応答信号（一例は高周波のＲＦ電波）を自動で返信する。
【０００４】
コントローラには、正規の電子キーのＩＤが基準ＩＤとして登録されている。そして、コントローラは、応答信号を受信すると、その応答信号を解析し、同応答信号の中に基準ＩＤと照合一致するＩＤが含まれている場合、キー認証が成立したと判断し、ドアの施解錠を許可又は実行する。
【０００５】
ドア錠制御システムが戸建住宅に適用される場合、ドア側には、例えば１家族分で最高８個程度の電子キーが登録され、いずれの電子キーでもドアの施解錠が許可又は実行されるようになっている。通常、複数の電子キーからのＲＦ電波が干渉しないようにするために、コントローラは、各電子キーとの間で個別に双方向通信を行いつつ認証を行う。例えば、１つの認証に０．１秒の時間がかかる想定では、８つ全ての認証を０．８秒で行えることになる。
【先行技術文献】
【特許文献】
【０００６】
【特許文献１】特許第５３２０４７６号公報（［０００８］）
【発明の概要】
【発明が解決しようとする課題】
【０００７】
ドア錠制御システムが集合住宅のエントランスに適用される場合、認証の対象となる電子キーが１０００個を超える数になる場合もある。この場合、１つずつ個別に認証作業を行うと、多くの時間がかかってしまうため、認証を個別には行わず、一括で認証を行う場合がある。
【０００８】
しかし、一括で認証を行う構成では、エントランスに形成される通信エリア内に電子キーが１個だけ存在する場合はいいが、複数個の電子キーが通信エリア内に存在したりすると、それぞれの電子キーが同時にコントローラと通信を行い、ＲＦ電波が干渉して認証が不成立となる場合がある。
【０００９】
本発明は、このような問題点に着目してなされたものであって、その目的は、少ない認証時間でも混信の抑制を可能にしたキー認証システムを提供することにある。
【課題を解決するための手段】
【００１０】
上記課題を解決するキー認証システムは、電子キーの認証を行うキー認証システムにおいて、認証の対象となる電子キーに呼び掛け信号を送信する送信手段と、前記呼び掛け信号に対する電子キーからの応答信号を受信する受信手段と、前記応答信号を解析して電子キーの認証を行う認証手段とを有するコントローラを備え、前記コントローラは、複数の電子キーをグループ分けし、グループ単位で、同じグループに属する全ての電子キーを認証の対象として、前記送信手段から呼び掛け信号を送信する制御手段を有する。
【００１１】
この構成によれば、グループ単位で一括して認証を行うことにより、１つずつ個別に認証するよりも少ない認証時間で済むとともに、グループを跨ぐ全ての電子キーを認証の対象とするよりも応答信号の干渉する可能性が低くなる。したがって、少ない認証時間でも混信を抑制できる。
【００１２】
上記キー認証システムについて、認証の成立を条件に動作する機器が複数設けられ、それぞれの機器には、単数又は複数の電子キーが登録されているとともに、それぞれの電子キーには、該当する機器に対する登録順が付与され、前記制御手段は、登録順が同じ電子キーによって１つのグループを形成することとしてもよい。
【００１３】
この構成によれば、１つの機器に登録されている複数の電子キーからの応答信号の干渉を防止できる。
上記キー認証システムについて、前記機器が多層建築物の各階に設けられ、前記制御手段は、登録順が同じ電子キーを、該当する機器の階数毎に細分化し、その細分化した単位で、その単位による同じグループに属する全ての電子キーを認証の対象として、前記送信手段から呼び掛け信号を送信することとしてもよい。
【００１４】
この構成によれば、登録順が同じ複数の電子キーが呼び掛け信号を受信可能な状況にあるとしても、それぞれの電子キーが、互いに別の階に設けられた機器に該当するものであれば、応答信号の干渉は起こらない。したがって、混信を抑制できる。
【発明の効果】
【００１５】
本発明によれば、少ない認証時間でも混信を抑制できる。
【図面の簡単な説明】
【００１６】
【図１】キー認証システムの構成を示すブロック図。
【図２】（ａ）は比較例の認証態様を示す概念図、（ｂ）は本例の認証態様を示す概念図。
【発明を実施するための形態】
【００１７】
以下、キー認証システムの一実施の形態について説明する。
図１に示すように、キー認証システム１は、集合住宅２の住人が所持する電子キー３と、エントランス４に設けられたコントローラ５との間で双方向通信を行い、電子キー３の認証が成立したことを条件に、共用ドア６の解錠を許可又は実行する。尚、共用ドア６を解錠した後、その共用ドア６を自動で開けてもよい。本例で想定されている集合住宅２は、いわゆる高層マンションであり、多層建築物に相当する。
【００１８】
コントローラ５は、通信動作を統括的に制御する通信制御部７の他、認証の対象となる電子キー３に呼び掛け信号（一例は低周波のＬＦ電波）を送信する送信部８、呼び掛け信号に対する電子キー３からの応答信号（一例は高周波のＲＦ電波）を受信する受信部９を有している。また、コントローラ５は、応答信号を解析して電子キー３の認証を行う認証部１０と、認証部１０での認証結果に応じて共用ドア６を制御するドア制御部１１とを有している。さらに、コントローラ５は不揮発性のメモリ１２を有し、そのメモリ１２には、集合住宅２に適合する正規の電子キー３のＩＤが基準ＩＤとして登録されている。本例では１０００個を超える基準ＩＤが登録されている。送信部８は送信手段に相当し、受信部９は受信手段に相当し、認証部１０は認証手段に相当し、通信制御部７は制御手段に相当する。
【００１９】
電子キー３は、自キーの統括的な制御を司るマイコン１３の他、呼び掛け信号を受信する受信回路１４、応答信号を送信する送信回路１５を備えている。マイコン１３は不揮発性のメモリ１３ａを有し、そのメモリ１３ａには、電子キー３の固有のＩＤが記憶されている。
【００２０】
通信制御部７は、電子キー３の接近を監視するために、定期的に或いはエントランス４に設けられたスイッチ（図示略）の操作を契機に又はエントランス４に設けられた人検知センサ（図示略）による人検知を契機に、送信部８から呼び掛け信号を送信して、エントランス４に通信エリアを形成する。
【００２１】
通信エリア内に電子キー３が存在している場合に、その電子キー３の受信回路１４によって呼び掛け信号が受信される。このとき、マイコン１３は、メモリ１３ａから電子キー３の固有のＩＤを読み出して、そのＩＤを含む応答信号を送信回路１５から自動で返信する。
【００２２】
認証部１０は、受信部９によって応答信号が受信されると、その応答信号を解析し、同応答信号の中にいずれかの基準ＩＤと照合一致するＩＤが含まれている場合、キー認証が成立したと判断する。ドア制御部１１は、キー認証の成立を条件に共用ドア６の解錠を許可又は実行する。
【００２３】
ところで、集合住宅２における各部屋１６の玄関ドア１７には、電子キー３を認証する認証機１８が室外側に設けられている。認証機１８には、部屋１６の住人の数に応じて単数又は複数の電子キー３が登録されているとともに、それぞれの電子キー３には、該当する認証機１８に対する登録順及びその認証機１８が設けられた部屋１６の番号が付与されている。そして、それら登録順及び部屋番号が、認証機１８に対する登録時にメモリ１３ａに書き込まれる。尚、１台の認証機１８に対し、１家族分の住人の数を想定して最高で８個の電子キー３が登録されている。そして、登録済の電子キー３が認証機１８に翳される等して電子キー３の認証が成立したことを条件に玄関ドア１７が解錠される。玄関ドア１７は機器に相当する。
【００２４】
通信制御部７は、集合住宅２に適合する正規の電子キー３（本例では１０００個を超える）をグループ分けし、グループ単位で、同じグループに属する全ての電子キー３を認証の対象として、送信部８から呼び掛け信号を送信する。
【００２５】
次に、キー認証システム１の作用について説明する。
図２（ａ）に示すように、本例に対する比較例では、１０００個を超える電子キー３が全て一括で認証される。この比較例において通信制御部７は、１０００個を超える電子キー３を認証の対象として、送信部８から呼び掛け信号を送信して、エントランス４に通信エリアを形成する。通信エリア内に電子キー３が存在している場合、その電子キー３からは、呼び掛け信号に対する応答信号が返信されるので、仮に複数個の電子キー３が通信エリア内に存在している場合には、それぞれの電子キー３が同時にコントローラ５と通信を行い、応答信号が干渉してキー認証が不成立となる場合がある。便宜上、家族で一緒に帰宅するシーンを想定し、例えば「１０３号室」の「登録順１」及び「登録順２」及び「登録順３」の電子キー３が通信エリア内に存在している場合には、応答信号が干渉することになる。
【００２６】
これに対し、図２（ｂ）に示す本例では、１０００個を超える電子キー３が登録順毎に個別に認証される。この本例において通信制御部７は、１０００個を超える電子キー３について、登録順が同じ電子キー３によって１つのグループを形成しつつ、全部で８つにグループ分けする。そして、グループ単位で、同じグループに属する全ての電子キー３を認証の対象として、送信部８から呼び掛け信号を送信して、エントランス４に通信エリアを形成する。
【００２７】
すなわち、通信制御部７は、最初に、「登録順１」のグループに属する全ての電子キー３を認証の対象として、送信部８から呼び掛け信号を送信する。便宜上、家族で一緒に帰宅するシーンを想定し、例えば「１０３号室」の「登録順１」及び「登録順２」及び「登録順３」の電子キー３が通信エリア内に存在している場合には、それら３つの電子キー３のうち「登録順１」の電子キー３のみがコントローラ５と通信を行う。したがって、応答信号が干渉することなくキー認証が成立する。
【００２８】
一方、上記想定とは別のシーンを想定し、「１０３号室」の「登録順１」及び「登録順２」及び「登録順３」の電子キー３に加え、「２０１号室」の「登録順１」の電子キー３が通信エリア内に存在している場合には、「登録順１」の電子キー３が２つ存在するため、応答信号が干渉することになる。
【００２９】
そこで、このような場合に備え、通信制御部７は、「登録順１」のグループに属する全ての電子キー３を認証の対象としつつ、キー認証が不成立となった場合には、「登録順１」のグループに属する電子キー３を、部屋１６の階数（１階〜最上階）毎に細分化する。そして、その細分化した単位で、その単位による同じグループに属する全ての電子キー３を認証の対象として、送信部８から呼び掛け信号を送信する。
【００３０】
すなわち、通信制御部７は、最初に、「登録順１」の「１階」のグループに属する全ての電子キー３を認証の対象として、送信部８から呼び掛け信号を送信する。これにより、「１０３号室」の「登録順１」及び「登録順２」及び「登録順３」の電子キー３に加え、「２０１号室」の「登録順１」の電子キー３が通信エリア内に存在している場合には、それら４つの電子キー３のうち「１０３号室」の「登録順１」の電子キー３のみがコントローラ５と通信を行う。したがって、応答信号が干渉することなくキー認証が成立する。
【００３１】
以上説明したように、本実施の形態によれば、以下の効果を奏することができる。
（１）グループ単位で一括して認証を行うことにより、１つずつ個別に認証するよりも少ない認証時間で済むとともに、グループを跨ぐ全ての電子キー３を認証の対象とするよりも応答信号の干渉する可能性が低くなる。したがって、少ない認証時間でも混信を抑制できる。
【００３２】
（２）登録順が同じ電子キー３によって１つのグループを形成するため、１つの玄関ドア１７に登録されている複数の電子キー３からの応答信号の干渉を防止できる。これにより、家族で一緒に帰宅するシーンにおいて、エントランス４での電波干渉を防止できる。
【００３３】
（３）登録順が同じ電子キー３を、該当する玄関ドア１７の階数毎に細分化するため、登録順が同じ複数の電子キー３が呼び掛け信号を受信可能な状況にあるとしても、それぞれの電子キー３が、互いに別の階に設けられた玄関ドア１７に該当するものであれば、応答信号の干渉は起こらない。したがって、混信を抑制できる。これにより、家族の他、別の階に住み登録順が同じ電子キー３を所持する人がエントランス４に居るシーンにおいて、電波干渉を防止できる。
【００３４】
（４）認証機１８に対する登録時に自動で登録順と部屋番号をメモリ１３ａに書き込むようにすることで、電子キー３をグループ化してコントローラ５で管理するにあたり、新たに発生する手間が無くなる。したがって、利便性を向上できる。
【００３５】
尚、上記実施の形態は、次のように変更して具体化することも可能である。
・上記実施の形態では、「登録順１」のグループに属する全ての電子キー３を認証の対象としつつ、キー認証が不成立となった場合には、「登録順１」のグループに属する電子キー３を、部屋１６の階数毎に細分化し、その細分化した単位で、その単位による同じグループに属する全ての電子キー３を認証の対象としている。そして、最初に、「登録順１」の「１階」のグループに属する全ての電子キー３を認証の対象としつつ、キー認証が成立した場合について説明したが、キー認証が不成立となった場合には、次のようにしてもよい。
【００３６】
すなわち、「登録順１」の「２階」のグループに属する全ての電子キー３を認証の対象とし、それでもキー認証が不成立となった場合には、「登録順１」の「３階」のグループに属する全ての電子キー３を認証の対象とするといったように、キー認証が不成立となる度に「１つ上の階」の「登録順１」の電子キー３を認証の対象とする。そして、キー認証が成立しないまま「登録順１」の「最上階」のグループに属する全ての電子キー３を認証の対象としつつ、キー認証が不成立となった場合には、「登録順２」のグループに属する全ての電子キー３を認証の対象としてもよいし、「登録順２」の「１階」のグループに属する全ての電子キー３を認証の対象としてもよい。前者のように、「登録順１」のグループを細分化した場合において、「登録順２」のグループについては最初から細分化することを見送る構成によれば、グループの単位が大きくなる分、少ない認証時間で済むメリットがある。
【００３７】
・登録順が同じ電子キー３を細分化するにあたり、部屋１６の階数毎に細分化することに代えて、偶数の部屋番号と奇数の部屋番号とに細分化してもよい。或いは、偶数階と奇数階とに細分化してもよい。
【００３８】
・登録順が同じ電子キー３を多段階で細分化してもよい。例えば、第１段階で部屋１６の階数毎に細分化し、それでもキー認証が不成立となった場合には、第２段階で偶数の部屋番号と奇数の部屋番号とに細分化してもよい。或いは、第１段階で偶数の部屋番号と奇数の部屋番号とに細分化し、それでもキー認証が不成立となった場合には、第２段階で部屋１６の階数毎に細分化してもよい。
【００３９】
・登録順が同じ電子キー３によって１つのグループを形成することに代えて、部屋１６の階数が同じ電子キー３によって１つのグループを形成してもよい。或いは、偶数の部屋番号のグループと奇数の部屋番号のグループとを形成してもよい。或いは、偶数階のグループと奇数階のグループとを形成してもよい。そして、いずれかのグループに属する全ての電子キー３を認証の対象としつつ、キー認証が不成立となった場合には、登録順毎に細分化してもよい。尚、多段階で細分化してもよい。
【００４０】
・低周波のＬＦ電波或いは高周波のＲＦ電波として、求められる通信距離に応じて、種々の周波数帯の電波を用いてもよい。尚、呼び掛け信号と応答信号とで同じ周波数帯の電波を用いてもよい。
【００４１】
・本発明にかかるキー認証システム１を高層マンション等の集合住宅２に代えて、オフィスビルに適用してもよい。
【符号の説明】
【００４２】
１…キー認証システム、２…集合住宅（多層建築物）、３…電子キー、４…エントランス、５…コントローラ、６…共用ドア、７…通信制御部（制御手段）、８…送信部（送信手段）、９…受信部（受信手段）、１０…認証部（認証手段）、１１…ドア制御部、１２…メモリ、１３…マイコン、１３ａ…メモリ、１４…受信回路、１５…送信回路、１６…部屋、１７…玄関ドア（機器）、１８…認証機。
【図１】
2019167696.tif 000003
【図２】
2019167696.tif 000004